(57)【特許請求の範囲】
【請求項１】
ケーブル繰出しドラムの少なくとも片側のフランジ部を載承する片側２輪のローラと、各ローラを回転可能に支持する支持架台と、少なくとも１輪のローラを回転駆動する駆動源と、２輪のローラの支持架台同士を間隔調整可能に連結する連結部材とを備え、連結部材は支持架台の間に張渡される索状の連結本体部と連結本体部を引張可能な引張部とを備えたことを特徴とするケーブル繰出しドラムの駆動装置。
【請求項２】
請求項１のケーブル繰出しドラムの駆動装置において、連結部材の連結本体部はチェーンからなり、連結部材の引張部はチェーンが掛けられるるフックと支持架台に支持されフックをねじ送り可能な回転軸とからなることを特徴とするケーブル繰出しドラムの駆動装置。
【請求項３】
請求項１または２のケーブル繰出しドラムの駆動装置において、両側のフランジ部を載承する片側２輪のローラの合計４輪のローラを備え、４輪のローラの全てに個別に駆動源を設けたことを特徴とするケーブル繰出しドラムの駆動装置。
【請求項４】
請求項１または２のケーブル繰出しドラムの駆動装置において、片側のフランジ部を載承する片側２輪のローラを備え、２輪のローラに個別に駆動源を設けたことを特徴とするケーブル繰出しドラムの駆動装置。
【発明の詳細な説明】
【０００１】
【産業上の利用分野】
本発明は、ケーブル繰出しドラムの駆動装置に関する。さらに詳しくは、光ファイバケーブル等のケーブル布設工事等に用いられるケーブル繰出しドラムの駆動装置の設置作業性に係る改良に関する。
【０００２】
【従来の技術】
従来、ケーブル繰出しドラムの駆動装置としては、例えば、本出願人が特願平５−２６２００３号として先に提案したものがある。
【０００３】
この本出願人の先提案に係る従来のケーブル繰出しドラムの駆動装置は、ケーブル布設作業をそれまでの手作業に代えて自動化することを指向したもので、図３に示すように、ケーブル繰出しドラムＤの両側のフランジ部Ｄａを載承する片側のドライブローラ，フリーローラの２輪の合計４輪のローラ１と、各ローラ１を回転可能に支持する支持架台２と、ドライブローラからなるローラ１を回転駆動する駆動源３と、片側のフランジ部Ｄａを載承する２輪のローラ１の支持架台２同士を間隔調整可能に連結するロッド形の連結部材４とを備えてなる。
【０００４】
この本出願人の先提案に係る従来のケーブル繰出しドラムの駆動装置によると、設置するに図４に示す作業が必要となる。即ち、まず、図４（Ａ）に示すように、ケーブル繰出しドラムＤの回転軸Ｄｂを両側からジャッキＪで持上げて支持し、設置面Ｅとケーブル繰出しドラムＤとの間に間隙Ｓを設けて、ローラ１，支持架台２をケーブル繰出しドラムＤの下に位置させる。間隙Ｓはフランジ部Ｄａの下端面に連結部材４が接触せずに差込可能な程度に設定される。
【０００５】
次に、図４（Ｂ）に示すように、ロッド形の連結部材４を支持架台２に挿通して、レンチによる回動操作等によりローラ１，支持架台２の間隔Ｗを調整してケーブル繰出しドラムＤを正確に載承できるようにする（以上は、ケーブル繰出しドラムＤの両側のフランジ部Ｄａで行われる。）。而後、図４（Ｃ）に示すように、ジャッキＪでケーブル繰出しドラムＤを降下させてローラ１に支承させる。
【０００６】
つぎに、図４（Ｃ）に示す状態で駆動源３を駆動すると、ケーブル繰出しドラムＤが回転してケーブルＣが繰出しされる。繰出しされたケーブルＣは、マンホール口Ｈから牽引機等で引込まれて布設される。
【０００７】
【発明が解決しようとする課題】
前述の本出願人の先提案に係る従来のケーブル繰出しドラムの駆動装置では、ローラ１，支持架台２と連結部材４との連結の際に、軸線Ｌを合わせてから連結部材４の挿通を行わなければならないため、設置作業に非常に時間が掛かるという問題点がある。また、連結部材４が曲げ変形している場合には、連結部材４の挿通そのものが不可能になることもあるという問題点がある。
【０００８】
また、ケーブル繰出しドラムＤは、繰出し前には約６００Ｋｇから約３ｔ程度の重量物であるので、間隙Ｓを連結部材４にフランジ部Ｄａが接触しない高さまでジャッキアップするには時間と手間がかかるものであった。しかも、両側のジャッキＪ，Ｊで間隙Ｓを介して起立支持しているために、不安定な状態であるばかりか、この状態からの連結作業には作業安全上からの不安を避けられないものであった。
【０００９】
本発明は、このような問題点を考慮してなされたもので、設置作業に時間の掛かずに安全に設置作業を行えるケーブル繰出しドラムの駆動装置を提供することを課題とする。
【００１０】
【課題を解決するための手段】
前述の第１の課題を解決するため、本発明に係るケーブル繰出しドラムの駆動装置は、請求項１に記載のように、ケーブル繰出しドラムの少なくとも片側のフランジ部を載承する片側２輪のローラと、各ローラを回転可能に支持する支持架台と、少なくとも１輪のローラを回転駆動する駆動源と、２輪のローラの支持架台同士を間隔調整可能に連結する連結部材とを備え、連結部材は支持架台の間に張渡される索状の連結本体部と連結本体部を引張可能な引張部とを備えたことを特徴とする手段を採用する。また、請求項２に記載のように、請求項１のケーブル繰出しドラムの駆動装置において、連結部材の連結本体部はチェーンからなり、連結部材の引張部はチェーンが掛けられるるフックと支持架台に支持されフックをねじ送り可能な回転軸とからなることを特徴とする手段を採用する。
【００１１】
また、本発明に係るケーブル繰出しドラムの駆動装置は、請求項３に記載のように、請求項１または２のケーブル繰出しドラムの駆動装置において、４輪のローラの全てに個別に駆動源を設けたことを特徴とする手段を採用する。また、請求項４に記載のように、請求項１または２のケーブル繰出しドラムの駆動装置において、片側２輪のローラに個別に駆動源を設けたことを特徴とする手段を採用する。
【００１２】
【作用】
前述の手段によると、請求項１では、連結部材が索状で自由に変形が可能となるため、軸線を合わせての挿通が不要となり、索状の連結部材を引張部に掛けて引張することによって、支持架台を相互に接近させて間隔調整した状態で連結することができる。従って、ケーブル繰出しドラムのフランジ部を僅かに持ち上げるだけで、索状の連結部材が連結される。場合によってはフランジ部を持ち上げることなく、フランジ部の両側に片側２輪のローラをあてがい、叙述のごとく支持架台を接近させることでフランジ部が持ち上げ状態となる。
【００１３】
また、請求項２では、チェーン，フックの掛合わせ構造により連結，離脱され、連結されたフックを回転軸で回転させるとねじ送りによってチェーンが引張される。
【００１４】
また、請求項３では、各ローラが個別に回転駆動されケーブルの繰出し始動時，制動時のトルクに差がなくなる。
【００１５】
また、請求項４では、ケーブル繰出しドラムが小型の場合には片側２輪のローラで片側のフランジ部が載承され、この各ローラが個別に回転駆動され、ケーブルの繰出し始動時，制動時のトルクに差がなくなる。
【００１６】
【実施例】
以下、本発明に係るケーブル繰出しドラムの駆動装置の一実施例を図１，図２に基いて説明する。この一実施例では、前述の本出願人の先提案に係る従来のケーブル繰出しドラムの駆動装置の大部分を利用して改造したものを示してある。
【００１７】
この実施例のローラ１０は、ケーブル繰出しドラムＤの重量を支えるために鋼材等の強固な材質からなるもので、軸部１０１の両側にフランジ部１０２を設け、軸部１０１の片側に駆動軸１０３を突出させてなる。軸部１０１は、ケーブル繰出しドラムＤのフランジ部Ｄａを載承するもので、当接摩擦を高めるために硬質のゴムを被覆する等の加工が施されている。フランジ部１０２は、ケーブル繰出しドラムＤのフランジ部Ｄａが軸部１０１から離脱するのを阻止するためのもので、軸部１０１の径方向へ突出している。駆動軸１０３は、駆動部３０を連結するものである。このローラ１０は、ケーブル繰出しドラムＤのフランジ部Ｄａの片側２輪の合計４輪備えられる。
【００１８】
支持架台２０は、ケーブル繰出しドラムＤ，ローラ１０の重量を支えるために鋼材等の強固な材質からなるもので、基枠２０１に支持枠２０２を起立させてなる。基枠２０１は、設置面Ｅに当接するもので、ケーブル繰出しドラムＤを支えたローラ１０を安定させるための広い当接面積を囲むフレーム材から例えば方形に形成されてなる。この基枠２０３には対の案内支持軸２０３，２０３が設けられ、案内支持軸２０３，２０３にばね２０４，２０４を巻設して支持枠２０２を連結側へ常時スライド可能に押圧することによって、フランジ部Ｄａに多少の凹凸があってもガタなく回転可能としている。支持枠２０２は、ローラ１０を回転可能に支持するもので強固な板材から構成できる。この支持架台２０は、各ローラ１０ごとに備えられる。
【００１９】
駆動源３０は、各ローラ１０の駆動軸１０３にそれぞれ連結して回転駆動するもので、電動式，油圧式のモータにブレーキ，減速機等を付設したものからなる。この駆動源３０は、例えば、ケーブル繰出しドラムＤのフランジ部Ｄａの直径が２８００ｍｍでローラ１の軸部１０１の直径が３２０ｍｍの場合、０．７５Ｋｗの出力のモータが選択される。
【００２０】
連結部材４０は、ケーブル繰出しドラムＤの片側のフランジ部Ｄａを載承する２輪のローラ１０の支持架台２０同士を連結するもので、支持架台２０の間に張渡される索状の連結本体部４０１と、連結本体部４０１を引張可能な引張部４０２とからなる。連結本体部４０１は、金属製のチェーンからなる。引張部４０２は、支持架台２０の基枠２０１にローラ１０の軸線の直交する方向へ進退可能に螺合支持された回転軸４０２ａと、回転軸４０２ａの支持架台２０の基枠２０１からの一方の突出端に固定され連結本体部４０１を掛合わせ可能なフック４０２ｂと、フック４０２ｂに弾圧装備され掛合わされた連結本体部４０１の離脱を阻止する抜止４０２ｃと，回転軸４０２ａの支持架台２０の基枠２０１からの他方の突出端に形成された角柱部４０２ｄとからなる。
【００２１】
この実施例によると、図２に示す設置作業が行われる。即ち、まず、図２（Ａ）に示すように、ケーブル繰出しドラムＤの回転軸ＤｂをジャッキＪで僅かに持上げて支持し、設置面Ｅとケーブル繰出しドラムＤとの間に小さな間隙ｓを設けて、ローラ１０，支持架台２０，連結部材４０をケーブル繰出しドラムＤの下に位置させる。間隙ｓとしては、連結本体部４０１を差込できる程度、例えば数ｃｍで足りる。
【００２２】
このとき、連結部材４０をローラ１０，支持架台２０から外しておく（連結部材４０の連結本体部４０１を引張部４０２から外しておく）こともできるが、連結部材４０の連結本体部４０１が自由に変形が可能なチェーンであり、形状的に収納保管，運搬に適応させることができ、収納保管，運搬の際の損傷も防止されるため、連結部材４０をローラ１０，支持架台２０に連結して収納保管，運搬してそのまま位置させるのがよい。なお、この位置させた状態では、連結部材４０の連結本体部４０１が弛んでいても差支えない。
【００２３】
次に、図２（Ｂ）に示すように、連結部材４０の引張部４０２の角柱部４０２ｄにトルクレンチＴを嵌合させて回転軸４０２ａを回転させて、フック４０２ｂにより掛合わされているチェーンからなる連結本体部４０１を引張して弛みを消失させ、支持架台２の間隔Ｗを調整する。
【００２４】
このとき、連結部材４０の連結本体部４０１の弛みが大きい場合には、トルクレンチＴによる回転軸４０２ａの回転操作に先行して、連結本体部４０１をフック４０２ｂに掛け直して弛みを小さくする。なお、この作業は、連結本体部４０１がチェーンからなるため簡単に行うことができる。また、連結部材４０をローラ１０，支持架台２０から外しておいてこのときに連結しても、それほど作業が面倒になることもない。また、連結本体部４０１が損傷しているのを発見した場合等には、簡単にフック４０２ｂに掛け直し交換することもできる。
【００２５】
さらに、この引張部４０２による連結本体部４０１の引張では、前述の本出願人の先提案に係る従来のケーブル繰出しドラムの駆動装置のように軸線Ｌを合わせての挿通作業が不要となる。従って、設置作業が極めて短時間で行えるようになる。なお、フック４０２ｂに装備されている抜止４０２ｃにより、回転引張するフック４０２ｂからチェーンからなる連結本体部４０１が不測に離脱することはない。
【００２６】
而後、図２（Ｃ）に示すように、引っ張りの程度に応じてケーブル繰出しドラムＤのフランジ部Ｄａがローラ１０の軸部１０１に支承される。
【００２７】
そして、駆動源３０を駆動すると、ローラ１０の軸部１０１が回転してケーブル繰出しドラムＤを回転させ、ケーブルＣを繰出しすことができる。なお、繰出しされたケーブルＣは、マンホール口Ｈから牽引機等で引込まれて布設されることになる。通常ケーブル繰出しドラムＤは木製であるためにフランジ部Ｄａが変形していることが多いが、支持枠２０２，２０２がばね２０４，２０４で弾性状態で押圧されているので、変形がばね２０４，２０４の収縮による支持枠２０２，２０２の個別移動によって吸収される。従って、ケーブルＣの布設作業が自動化され、布設作業の安全性，効率性が向上することになる。なお、ジャッキＪは、手作業によるケーブルＣの布設作業で使用されていたものをそのまま使用することができる。
【００２８】
このケーブルＣの布設作業では、４輪のローラ１０が個別に回転駆動されてトルク差が生じないため、ケーブルＣの繰出し始動時，制動時のケーブル繰出しドラムＤのローラ１０からの浮上りを防止することができる。従って、ケーブル繰出しドラムＤの回転が安定化，効率化され、布設作業の安全性，効率性さらにが向上することになる。
【００２９】
なお、駆動部３０については、ロータリエンコーダ等で各回転を連係させたり、牽引側と有線，無線で連係して制御することも可能である。
【００３０】
以上、図示した実施例の外に、連結部材４０の連結本体部４０１をワイアロープ，ベルト等の実施例とすることも可能である。
【００３１】
さらに、連結部材４０の引張部４０２をスライド引張する実施例とすることもも可能である。
【００３２】
さらに、片側２輪のローラ１０と片側２個の支持架台２０とこれらを連結する索状の連結部材４０とで一側のフランジ部Ｄａのみを載承し、他側のフランジ部ＤａをジャッキＪで支持させた中空状態とすることができる。この場合には比較的小型や軽量のケーブル繰出しドラムに容易に実施可能である。
【００３３】
さらにまた、ケーブル繰出しドラムＤを僅かな間隙ｓだけ持ち上げした場合を図示説明したが、これに限定する趣旨ではない。ケーブル繰出しドラムＤを全く持ち上げないで、一側のフランジ部Ｄａの片側２輪のローラ１０，１０をあてがい、索状の連結部材４０で連結して引張る。同様に他側のフランジ部Ｄａにもローラ１０，１０をあてがって引張り、もって両側ローラ１０で両フランジ部Ｄａを回転可能に持ち上げする設置作業も可能である。この場合にはジャッキＪでケーブル駆動ドラムＤは支持されていることは勿論のことである。
【００３４】
【発明の効果】
以上のように本発明に係るケーブル繰出しドラムの駆動装置は、各請求項共通として、連結部材の軸線を合わせた挿通作業が不要となるため、ケーブル繰出しドラムを高く持ち上げて設置作業する必要がなくなり、設置作業に時間が掛からなくなるうえに安全に作業することができる効果がある。
【００３５】
また、各請求項共通として、連結部材が索状で自由に変形が可能であるため、収納保管，運搬が容易である効果がある。
【００３６】
さらに、各請求項共通として、ケーブルの布設作業の自動化により布設作業の安全性，効率性を向上させることができ、しかも、手作業のケーブルの布設作業で使用されているジャッキをそのまま有効利用することができる効果がある。
【００３７】
さらに、請求項２のみとして、チェーン，フックの掛合わせにより、連結部の着脱が容易になる効果がある。
【００３８】
さらに、請求項３，４共通として、駆動ローラとフリーローラとから成る場合に両ローラのトルク差によってケーブルの繰出し始動時，制動時のケーブル繰出しドラムの浮上りが防止されるため、布設作業の安全性，効率性がより向上する効果がある。
【図面の簡単な説明】
【図１】本発明に係るケーブル繰出しドラムの駆動装置の実施例を示す要部の斜視図である。
【図２】図１の設置作業を示す側面図であり、（Ａ）〜（Ｃ）の順に作業工程を示してある。
【図３】従来例を示す設置状態の全体の斜視図である。
【図４】図３の設置作業を示す側面図であり、（Ａ）〜（Ｃ）の順に作業工程を示してある。
【符号の説明】
１０                            ローラ
２０                            支持架台
２０１            基枠
２０２            支持枠
２０３            案内支持軸
２０４            ばね
３０                            駆動源
４０                            連結部材
４０１                        連結本体部（チェーン）
４０２                        引張部
４０２ａ                    回転軸
４０２ｂ                    フック
Ｃ                                ケーブル
Ｄ                                繰出しドラム
Ｄａ                            フランジ部
【図１】
0003580582.tif 000002
【図２】
0003580582.tif 000003
【図３】
0003580582.tif 000004
【図４】
0003580582.tif 000005